(57)【要約】      （修正有）【課題】復号をより簡略化する。【解決手段】デマッピング部１１は、サブフレームにマッピングされるPHICH（Physical Hybrid ARQ Indicator Channel）グループ数を表すための係数miであって、０〜２のいずれかの値の係数miを０として、受信した信号をPDCCH（Physical Downlink Contr ol Channel）デマッピングする。PHICH取り除き部２２は、０〜２のそれぞれの値の係数miに応じて、デマッピングされて復調された復調データから０〜２のいずれかの値の係数miに応じてマッピングされているPHICHを取り除く。デインターリーブ部２３は、PHICHが取り除かれた復調データにデインターリーブの処理を適用する。本発明は、LTEのTDDの規格の基に送信されてきた信号を受信する携帯端末装置に適用できる。【選択図】図１
2012238969.tif 000002
【特許請求の範囲】
【請求項１】
LTE（Long Term Evolution）のTDD（Time Division Duplex）の規格の基に送信されてきた信号を受信する受信装置において、
サブフレームにマッピングされるPHICH（Physical Hybrid ARQ Indicator Channel）グループ数を表すための係数miであって、０〜２のいずれかの値の係数miを０として、受信した信号をPDCCH（Physical Downlink Contr ol Channel）デマッピングするデマッピング手段と、
０〜２のそれぞれの値の係数miに応じて、デマッピングされて復調された復調データから０〜２のいずれかの値の係数miに応じてマッピングされているPHICHを取り除く除去手段と、
PHICHが取り除かれた上記復調データにデインターリーブの処理を適用するデインターリーブ手段と
を有することを特徴とする受信装置。
【請求項２】
LTEのTDDの規格の基に送信されてきた信号を受信する受信装置の受信方法において、
サブフレームにマッピングされるPHICHグループ数を表すための係数miであって、０〜２のいずれかの値の係数miを０として、受信した信号をPDCCHデマッピングするデマッピングステップと、
０〜２のそれぞれの値の係数miに応じて、デマッピングされて復調された復調データから０〜２のいずれかの値の係数miに応じてマッピングされているPHICHを取り除く除去ステップと、
PHICHが取り除かれた上記復調データにデインターリーブの処理を適用するデインターリーブステップと
を含むことを特徴とする受信方法。
【請求項３】
LTEのTDDの規格の基に送信されてきた信号を受信する受信装置を制御するコンピュータに、
サブフレームにマッピングされるPHICHグループ数を表すための係数miであって、０〜２のいずれかの値の係数miを０として、受信した信号をPDCCHデマッピングするデマッピングステップと、
０〜２のそれぞれの値の係数miに応じて、デマッピングされて復調された復調データから０〜２のいずれかの値の係数miに応じてマッピングされているPHICHを取り除く除去ステップと、
PHICHが取り除かれた上記復調データにデインターリーブの処理を適用するデインターリーブステップと
を含む処理を行わせるプログラム。
【発明の詳細な説明】
【技術分野】
【０００１】
本発明は受信装置および受信方法、並びにプログラムに関する。
【背景技術】
【０００２】
LTE（Long Term Evolution）のTDD（Time Division Duplex）では、Uplink subframeとDownlink subframeとが時間多重されている。Uplink subframeとDownlink subframeとでは、７通りの配置の設定が可能となっている。
【０００３】
その配置の設定は、基地局毎に可能であり、端末が基地局に対して初期アクセスを行う場合、端末にとって、その配置は不明である。Uplink subframeとDownlink subframeとの配置は、報知情報にパラメータUplink-downlink configurationとして示されている。この報知情報を読むためにはPDCCH（Physical Downlink Contr ol Channel）の復調・復号が必要となる。
【０００４】
PDCCHを復調するためにはPDCCHがマッピングされているリソースエレメントグループの位置を知ることが必要である。PDCCHは、PHICH（Physical Hybrid ARQ Indicator Channel）がマッピングされているリソースエレメントグループを除いた部分にマッピングされている。従って、PDCCHの復調には、PHICHがマッピングされているリソースエレメントグループの位置を知ることが必要となる。
【０００５】
従来、ＰＨＩＣＨが伝送されるシンボルにおける利用可能なリソースエレメントグループの数と１番目または２番目のＯＦＤＭシンボルにおける利用可能なリソースエレメントグループの数との比率に従って、前記ＰＨＩＣＨの反復パターンが伝送されるリソースエレメントグループのインデックスを決定し、前記決定されたインデックスによって前記ＰＨＩＣＨをシンボルにマッピングするようにしているものもある（例えば、特許文献１参照）。
【先行技術文献】
【特許文献】
【０００６】
【特許文献１】特表２０１０−５１９８８４号公報
【発明の概要】
【発明が解決しようとする課題】
【０００７】
しかしながら、PHICHがマッピングされるリソースエレメントグループは、TDDの場合、subframeによって異なり、それは報知情報に含まれるUplink-downlink configurationによって決定される。報知情報を受信していない段階ではPHICHの配置を知ることは不可能である。
【０００８】
そのため、PHICHの可能性のある３通りのマッピングについて、通常の復調処理を３回繰り返して行っていた。
【０００９】
図６は、通常のPDCCH復調処理を説明するフローチャートである。
【００１０】
ステップＳ１１１において、デマッピング処理により、端末の受信アンテナごとに、制御チャネルがマッピングされている領域から、PHICHやPCFICHがマッピングされているリソースを除いたPDCCHがマッピングされているリソースが抜き出される。
【００１１】
ステップＳ１１２において、等化処理により、チャネル推定値が乗算され、チャネルで受けた位相変動が補正される。
【００１２】
基地局送信アンテナが複数あり、送信ダイバーシティが適用されている場合、ステップＳ１１３において、送信ダイバーシティの復号処理が行われる。
【００１３】
ステップＳ１１４において、最大比合成処理により、受信アンテナごとの送信ダイバーシティ復号処理後のデータが合成される。
【００１４】
ステップＳ１１５において、QPSK（Quadrature Phase Shift Keying）復調により、QPSKシンボルからビット列が取り出される。そして、ステップＳ１１６において、De-Interleaveにより、bit列が並び替えられ、PDCCH復調処理は終了する。
【００１５】
TDDのsubframe構成が不明な場合、デマッピング処理においてPHICHのマッピングされている場所の可能性が３通り（mi=0,1,2）存在する。そのためその3通りについて復調処理を行う必要がある。
【００１６】
図７は、TDDでsubframe構成が不明な場合のPDCCH復調処理を説明するフローチャートである。
【００１７】
ステップＳ１２１において、０〜２の３つの値の中から１つの値が、PHICHパラメータとして選択される。
【００１８】
選択された値のPHICHパラメータに基づいて、ステップＳ１２２〜ステップＳ１２７の手続きが行われる。すなわち、ステップＳ１２２において、デマッピング処理により、端末の受信アンテナごとに、制御チャネルがマッピングされている領域から、PHICHやPCFICHがマッピングされているリソースを除いたPDCCHがマッピングされているリソースが抜き出される。
【００１９】
ステップＳ１２３において、等化処理により、チャネル推定値が乗算され、チャネルで受けた位相変動が補正される。
【００２０】
基地局送信アンテナが複数あり、送信ダイバーシティが適用されている場合、ステップＳ１２４において、送信ダイバーシティの復号処理が行われる。
【００２１】
ステップＳ１２５において、最大比合成処理により、受信アンテナごとの送信ダイバーシティ復号処理後のデータが合成される。
【００２２】
ステップＳ１２６において、QPSK復調により、QPSKシンボルからビット列が取り出される。そして、ステップＳ１２７において、De-Interleaveにより、bit列が並び替えられる。
【００２３】
ステップＳ１２８において、０〜２の３通りのPHICHパラメータで復調が完了したか否かが判定され、０〜２の３通りのPHICHパラメータで復調が完了していないと判定された場合、手続きはステップＳ１２１に戻り、次の値がPHICHパラメータとして選択され、上述した処理が繰り返される。
【００２４】
ステップＳ１２８において、０〜２の３通りのPHICHパラメータで復調が完了したと判定された場合、PDCCH復調処理は終了する。
【００２５】
このように、TDDに対応した携帯端末において、初期アクセス時にTDDのUplinkとDownlinkのsubframe構成が不明な状態である場合、PDCCH復調に必要な情報が分からないためBlindでの復号が必要となり、可能性のある構成３通りについて復号を行う必要があった。
【００２６】
そこで、本発明は、上記課題を解決すること、すなわち、復号をより簡略化できる受信装置および受信方法、並びにプログラムを提供することを目的とする。
【課題を解決するための手段】
【００２７】
上記課題を解決するために、本発明の受信装置の一側面は、LTE（Long Term Evolution）のTDD（Time Division Duplex）の規格の基に送信されてきた信号を受信する受信装置であって、サブフレームにマッピングされるPHICH（Physical Hybrid ARQ Indicator Channel）グループ数を表すための係数miであって、０〜２のいずれかの値の係数miを０として、受信した信号をPDCCH（Physical Downlink Contr ol Channel）デマッピングするデマッピング手段と、０〜２のそれぞれの値の係数miに応じて、デマッピングされて復調された復調データから０〜２のいずれかの値の係数miに応じてマッピングされているPHICHを取り除く除去手段と、PHICHが取り除かれた復調データにデインターリーブの処理を適用するデインターリーブ手段とを有するものとされている。
【００２８】
また、本発明の受信方法の一側面は、LTEのTDDの規格の基に送信されてきた信号を受信する受信装置の受信方法であって、サブフレームにマッピングされるPHICHグループ数を表すための係数miであって、０〜２のいずれかの値の係数miを０として、受信した信号をPDCCHデマッピングするデマッピングステップと、０〜２のそれぞれの値の係数miに応じて、デマッピングされて復調された復調データから０〜２のいずれかの値の係数miに応じてマッピングされているPHICHを取り除く除去ステップと、PHICHが取り除かれた復調データにデインターリーブの処理を適用するデインターリーブステップとを含むものとされている。
【００２９】
さらに、本発明のプログラムの一側面は、LTEのTDDの規格の基に送信されてきた信号を受信する受信装置を制御するコンピュータに、サブフレームにマッピングされるPHICHグループ数を表すための係数miであって、０〜２のいずれかの値の係数miを０として、受信した信号をPDCCHデマッピングするデマッピングステップと、０〜２のそれぞれの値の係数miに応じて、デマッピングされて復調された復調データから０〜２のいずれかの値の係数miに応じてマッピングされているPHICHを取り除く除去ステップと、PHICHが取り除かれた復調データにデインターリーブの処理を適用するデインターリーブステップとを含む処理を行わせるものとされている。
【発明の効果】
【００３０】
本発明の一側面によれば、復号をより簡略化できる受信装置および受信方法、並びにプログラムを提供することができる。
【図面の簡単な説明】
【００３１】
【図１】受信装置の構成の例を示すブロック図である。
【図２】復調処理の例を説明するフローチャートである。
【図３】制御チャネルリソースの構成の例を示す図である。
【図４】Interleave処理の概要を示した図である。
【図５】コンピュータのハードウェアの構成例を示すブロック図である。
【図６】PDCCH復調処理を説明するフローチャートである。
【図７】TDDでsubframe構成が不明な場合のPDCCH復調処理を説明するフローチャートである。
【発明を実施するための形態】
【００３２】
以下、本発明の一実施の形態の受信装置について、制御チャネル領域３OFDMシンボルの場合を例に、図１〜図５を参照しながら説明する。
【００３３】
図１は、受信装置の構成の例を示すブロック図である。受信装置は、例えば、TDD（Time Division Duplex）に対応した携帯端末装置である。受信装置は、デマッピング部１１、等化部１２、復号部１３、最大比合成部１４、復調部１５、およびPDCCH復調部１６を含むように構成される。
【００３４】
デマッピング部１１は、受信装置の受信アンテナごとに、制御チャネルがマッピングされている領域から、PHICHやPCFICHがマッピングされているリソースを除いたPDCCHがマッピングされているリソースを抜き出す。より具体的には、デマッピング部１１は、サブフレームにマッピングされるPHICHグループ数を表すための係数miであって、０〜２のいずれかの値の係数miを０として、受信した信号をPDCCHデマッピングする。係数miの詳細については後述する。
【００３５】
等化部１２は、チャネル推定値を乗算し、チャネルで受けた位相変動を補正する。復号部１３は、基地局送信アンテナが複数あり、送信ダイバーシティが適用されている場合、送信ダイバーシティの復号処理を行う。最大比合成部１４は、受信アンテナごとの送信ダイバーシティ復号処理後のデータを合成する。復調部１５は、QPSK復調により、QPSKシンボルからビット列を取り出し、復調データとして出力する。
【００３６】
PDCCH復調部１６は、０〜２のそれぞれの値の係数miに応じて、デマッピングされて復調された復調データから０〜２のいずれかの値の係数miに応じてマッピングされているPHICHを取り除き、PHICHが取り除かれた復調データにデインターリーブの処理を適用する。
【００３７】
PDCCH復調部１６は、PHICHパラメータ設定部２１、PHICH取り除き部２２、デインターリーブ部２３、および判定部２４を含む。PHICHパラメータ設定部２１は、サブフレームにマッピングされるPHICHグループ数を表すための係数miに、０〜２のいずれかの値を設定する。PHICH取り除き部２２は、復調された復調データから０〜２のいずれかの値の係数miに応じてマッピングされているPHICHを取り除く。デインターリーブ部２３は、PHICHが取り除かれた復調データにデインターリーブの処理を適用する。判定部２４は、０〜２のそれぞれの値の係数miの全てに応じて復調が行われたか否かを判定する。
【００３８】
図２は、本発明の一実施の形態の受信装置の復調処理の例を説明するフローチャートである。TDDのsubframe構成が不明な場合、PHICHパラメータmi=0と仮定され、そのパラメータに基づいてデマッピングからQPSK復調までの処理が行われる。その後の各パラメータに対応して再度デマッピングが行われ、Interleaving処理が繰り返される。
【００３９】
すなわち、ステップＳ３１において、デマッピング部１１は、TDDのsubframe構成が不明な場合、PHICHパラメータmi=0と仮定し、受信した信号をPDCCHデマッピングする。
【００４０】
ステップＳ３２において、等化部１２は、チャネル推定値を乗算し、チャネルで受けた位相変動を補正する。ステップＳ３３において、復号部１３は、基地局送信アンテナが複数あり、送信ダイバーシティが適用されている場合、送信ダイバーシティの復号処理を行う。ステップＳ３４において、最大比合成部１４は、受信アンテナごとの送信ダイバーシティ復号処理後のデータを合成する。ステップＳ３５において、復調部１５は、QPSK復調により、QPSKシンボルからビット列を取り出し、復調データとして出力し、復調データをPDCCH復調部１６に供給する。
【００４１】
ステップＳ３６において、PHICHパラメータ設定部２１は、サブフレームにマッピングされるPHICHグループ数を表すための係数miに、０〜２のいずれかの値を設定する。ステップＳ３７において、PHICH取り除き部２２は、復調された復調データから０〜２のいずれかの値の係数miに応じてマッピングされているPHICHを取り除く。ステップＳ３８において、デインターリーブ部２３は、PHICHが取り除かれた復調データにデインターリーブの処理を適用する。ステップＳ３９において、判定部２４は、０〜２のそれぞれの値の係数miの全てに応じて復調が行われたか否かを判定する。
【００４２】
ステップＳ３９において、０〜２のそれぞれの値の係数miの全てに応じて復調が行われていないと判定された場合、手続きはステップＳ３６に戻り、次の値の係数miに応じて上述した復調の処理が繰り返される。
【００４３】
ステップＳ３９において、０〜２のそれぞれの値の係数miの全てに応じて復調が行われたと判定された場合、復調処理は終了する。
【００４４】
ここで、PDCCH、PHICH、およびPCFICHのマッピングについて説明する。図３は、制御チャネルリソースの構成の例を示す図である。
【００４５】
図３において、太線の四角は、リソースエレメントグループを示し、細線の四角は、リソースエレメントを示す。斜線が付された四角は、リファレンスシグナルを示す。また、図３において、数字は、各リソースエレメントグループに割り振られた番号を示す。
【００４６】
各リソースエレメントグループには、先頭のリソースエレメントが小さい順、OFDMシンボルが若い順に、番号が割り振られる。
【００４７】
リソースエレメントが複数束ねられてリソースエレメントグループが構成される。リファレンスシグナルがマッピングされているOFDMシンボルでは３つのリソースエレメントが束ねられて１つのリソースエレメントグループが構成される。リファレンスシグナルがマッピングされていないOFDMシンボルでは２つのリソースエレメントが束ねられて１つのリソースエレメントグループが構成される。
【００４８】
各リソースエレメントグループにはPDCCH、PHICH、およびPCFICHがマッピングされる。
【００４９】
また、PCFICHは、先頭のOFDMシンボルにマッピングされる。先頭のOFDMシンボルのリソースエレメントグループを周波数の低い方から番号ｋを付した場合、PCFICHは、式（１）に示される４つのリソースエレメントグループにマッピングされる。
【数１】
2012238969.tif 000003
・・・（１）
【００５０】
なお、式（１）において、式（２）が成り立つ。
【数２】
2012238969.tif 000004
・・・（２）
【００５１】
また、基地局のcell IDは、式（３）で表される。
【数３】
2012238969.tif 000005
・・・（３）
【００５２】
さらに、DL（Downlink）のリソースブロック数は、式（４）で表される。
【数４】
2012238969.tif 000006
・・・（４）
【００５３】
さらにまた、リソースブロックあたりのサブキャリア数は、式（５）で表される。
【数５】
2012238969.tif 000007
・・・（５）
【００５４】
次に、PHICHは、PHICH group毎に３つのリソースエレメントグループにマッピングされる。PHICH group数は、上位パラメータで設定され、式（６）で表される。
【数６】
2012238969.tif 000008
・・・（６）
【００５５】
TDDの場合、PHICH group数は、subframeによって異なり、式（７）で表される。
【数７】
2012238969.tif 000009
・・・（７）
【００５６】
なお、係数miは、次の表で与えられる。
【表１】
2012238969.tif 000010
【００５７】
すなわち、TDDの場合、subframeによって、PHICHがマッピングされないとき、式（８）で表されるPHICH group数分マッピングされるとき、式（９）で表されるPHICH group数の２倍の分マッピングされるときの３通りが存在する。
【数８】
2012238969.tif 000011
・・・（８）
【００５８】
【数９】
2012238969.tif 000012
・・・（９）
【００５９】
ここでUplink-downlink configurationは、TDDのsubframeのUplink/Downlinkの配置を決定するパラメータである。各値におけるUplink subframeとDownlink subframeの割り当ては、次の表で与えられる。次の表において、Downlink subframeはＤで表され、Uplink subframeはＵで表され、Special subframeはＳで表されている。
【表２】
2012238969.tif 000013
【００６０】
normal PHICH duration、非MBSFN subframe、またはnormal CPの場合、PHICHは、先頭OFDMシンボルにマッピングされる。先頭OFDMシンボルのリソースエレメントグループの内、PCFICHがマッピングされたもの以外を周波数の低い方から番号n'を付した場合、１つのPHICH groupは、式（１０）で示される、３つのリソースエレメントグループにマッピングされる。
【数１０】
2012238969.tif 000014
・・・（１０）
【００６１】
ここで、リソースエレメントグループの数n0は、先頭OFDMシンボルのPDFICHがマッピングされたリソースエレメントグループを除いたリソースエレメントグループの数である。
【００６２】
また、PHICH group番号m'は、0から式（１１）で示されるまでの値をとる。
【数１１】
2012238969.tif 000015
・・・（１１）
【００６３】
PDCCHは、PDFICHまたはPHICHがマッピングされたリソースエレメントグループを除いたリソースエレメントグループにマッピングされる。
【００６４】
次に、デインターリーブについて説明する。図４は、Interleave処理の概要を示した図である。
【００６５】
１つのリソースエレメントグループにマッピングされる4bitを１単位(Quadruplet)としてInterleave処理が行われる。図４において、個々の四角は、Quadrupletを示し、斜線が付された四角は、Dummy bitを示す。
【００６６】
図４の上側の部分の矢印に示されるように、Quadrupletは、列数３２の単位の中に、行方向に書き込まれていく。この場合、PDCCHのQuadruplet数が３２で割り切れない場合、Dummy bitが、先頭に書き込まれる。図４の下側の部分の矢印に示されるように、Interleave後、列方向に読み出しが行われる。このとき、Dummy bitは、取り除かれる。
【００６７】
ステップＳ３８のDe-interleaveにおいて、これと逆の処理が行われる。
【００６８】
図２のステップＳ３１におけるPDCCHのデマッピング処理は、PHICHのPHICH group数の係数miを０として、行われる。また、その後、ステップＳ３２〜ステップＳ３５の手続きは、係数miを０として、PDCCHデマッピングが行われた結果に対して、行われる。
【００６９】
ステップＳ３８におけるDe-Interleaveの手続きによる結果は、図４に示されるように、PDCCHのデマッピング後のbit数が変わると、Dummy bitの挿入により、変わる。そのため、PHICH group数の0である係数miに対してDe-Interleaveが行われた後、ステップＳ３７の手続きにおいて、係数miが1および2のいずれかである場合にPHICHがマッピングされている部分のbitを除去し、ステップＳ３８の手続きにおいて、係数miが1および2のいずれかである場合のそれぞれに対してDe-Interleave処理が行われる。
【００７０】
このように、TDDに対応した携帯端末において、初期アクセス時にTDDのUplinkとDownlinkのsubframe構成が不明な状態である場合、通常の３倍程度必要な復号処理を簡略化することができる。
【００７１】
なお、normal PHICH duration、非MBSFN subframe、またはnormal CPの場合のPHICHマッピングのみについて説明したが、それ以外の場合にも適用可能である。
【００７２】
以上のように、従来では３通りの必要な復号処理を、一部共通化することにより、簡略化することができる。
【００７３】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００７４】
図５は、上述した一連の処理をプログラムにより実行するコンピュータのハードウェアの構成例を示すブロック図である。
【００７５】
コンピュータにおいて、CPU（Central Processing Unit）１０１，ROM（Read Only Memory）１０２，RAM（Random Access Memory）１０３は、バス１０４により相互に接続されている。
【００７６】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【００７７】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００７８】
コンピュータ（CPU１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００７９】
そして、プログラムは、リムーバブルメディア１１１をドライブ１１０に装着することにより、入出力インタフェース１０５を介して、記憶部１０８に記憶することで、コンピュータにインストールすることができる。また、プログラムは、有線または無線の伝送媒体を介して、通信部１０９で受信し、記憶部１０８に記憶することで、コンピュータにインストールすることができる。その他、プログラムは、ROM１０２や記憶部１０８にあらかじめ記憶しておくことで、コンピュータにあらかじめインストールしておくことができる。
【００８０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８１】
また、本発明の実施の形態は、上述した実施の形態に限定されるものではなく、本発明の要旨を逸脱しない範囲において種々の変更が可能である。
【符号の説明】
【００８２】
１１…デマッピング部、１２…等化部、１３…復号部、１４…最大比合成部、１５…復調部、１６…PDCCH復調部、２１…PHICHパラメータ設定部、２２…PHICH取り除き部、２３…デインターリーブ部、２４…判定部、１０１…CPU、１０２…ROM、１０３…RAM、１０８…記憶部、１０９…通信部、１１１…リムーバブルメディア
【図１】
2012238969.tif 000016
【図２】
2012238969.tif 000017
【図３】
2012238969.tif 000018
【図４】
2012238969.tif 000019
【図５】
2012238969.tif 000020
【図６】
2012238969.tif 000021
【図７】
2012238969.tif 000022